(57)【特許請求の範囲】
【請求項１】
電子部品を収納部に搭載した収納テープを部品吸着位置まで間欠送りして電子部品を供給する複数の部品供給ユニットを載置するフィーダベースと、キャスターとを備えた部品供給装置であって、電子部品を供給し空になった前記収納テープを切断する切断手段を備えたカッターユニットと、このカッターユニットを載置するカッターベースとを備え、前記カッターベースには前記カッターユニットを載置したときに前記カッターユニットより前方に突出する突出部を設け、前記カッターユニットの下部には前方へ延びた延出部を設け、この延出部に前記突出部との固定部を形成し、前記突出部と前記固定部とにより前記前記カッターユニットを前記前記カッターベースに着脱可能としたことを特徴とする部品供給装置。
【請求項２】
前記カッターベースの上面後部の左右に突出部を設け、前記カッターユニットの後部の下部には、前記突出部に対応し後縁から前方へ窪んだ位置決め部が形成されたことを特徴とする請求項１に記載の部品供給装置。
【請求項３】
前記カッターベースの左右両部には、前記カッターユニットの左右側壁を案内するガイドを設けたことを特徴とする請求項１又は２に記載の部品供給装置。
【発明の詳細な説明】
【技術分野】
【０００１】
本発明は、電子部品を収納部に搭載した収納テープをそれぞれ複数の部品吸着位置まで間欠送りする複数の部品供給ユニットを多数併設する部品供給装置に関する。
【背景技術】
【０００２】
この種部品供給装置は、特許文献１等に開示されており、さらに、特許文献１には、部品供給ユニットから電子部品を取り出した後の収納テープを切断するカッターを備えた部品装着装置が記載されている。
【特許文献１】特開２００７−１２７６６号公報
【発明の開示】
【発明が解決しようとする課題】
【０００３】
このように、カッターを電子部品装着装置に設けた場合、カッターの刃の交換などのメンテナンスを行うときに、電子部品装着装置の運転を一時停止する必要があるという問題が発生する。
【０００４】
このため、本願出願人は、上述したような問題を解決するために、カッターを備えた電子部品装着装置に係る発明を出願したが、カッターを電子部品供給装置に取り付けたときにおいても、カッターのメンテナンスなどを行うとき、電子部品供給装置に取り付けた上で行うことは困難であり、カッターを電子部品供給装置から取り外す必要がある。
【０００５】
また、カッターの電子部品供給装置に対する着脱機構が煩雑な場合には、作業者による作業時間が長くなり、また、電子部品供給装置が使用できない期間が長くなるという問題が発生する。
【０００６】
そこで本発明は、カッターユニットを電子部品供給装置に対して着脱可能にし、また、着脱機構を極力簡単にした電子部品供給装置を提供することを目的とする。
【課題を解決するための手段】
【０００７】
このため第１の発明は、電子部品を収納部に搭載した収納テープを部品吸着位置まで間欠送りして電子部品を供給する複数の部品供給ユニットを載置するフィーダベースと、キャスターとを備えた部品供給装置であって、電子部品を供給し空になった前記収納テープを切断する切断手段を備えたカッターユニットと、このカッターユニットを載置するカッターベースとを備え、前記カッターベースには前記カッターユニットを載置したときに前記カッターユニットより前方に突出する突出部を設け、前記カッターユニットの下部には前方へ延びた延出部を設け、この延出部に前記突出部との固定部を形成し、前記突出部と前記固定部とにより前記前記カッターユニットを前記前記カッターベースに着脱可能としたことを特徴とする。
【０００９】
第２の発明は、請求項１に記載の部品供給装置において、前記カッターベースの上面後部の左右に突出部を設け、前記カッターユニットの後部の下部には、前記突出部に対応し後縁から前方へ窪んだ位置決め部が形成されたことを特徴とする。
【００１０】
第３の発明は、請求項１または２に記載の部品供給装置前記カッターベースの左右両部には、前記カッターユニットの左右側壁を案内するガイドを設けたことを特徴とする。
【発明の効果】
【００１１】
本発明は、カッターユニットが電子部品供給装置に対して着脱可能であり、また、カッターユニットの着脱機構を極力簡単にした電子部品供給装置を提供することができ、更に、る。
【発明を実施するための最良の形態】
【００１２】
以下、図面に基づいて本発明の実施形態につき説明する。
【００１３】
図１及び図２は電子部品供給装置１の正面図及び側面であり、電子部品供給装置１は、複数のカセット形式の部品供給ユニット２（図２参照）をフィーダベース３上に多数並設したものである。各部品供給ユニット２は、部品供給装置フレーム（以下、フレームという。）４の下方に載置された図示しないテープリールに巻いたキャリアテープの収納部に装填された電子部品を剥離機構（図示せず）によりカバーテープを剥離して先端から１つずつ供給する。
【００１４】
フィーダベース３はフレーム４に図示しない昇降機構を介して取り付けられ、フィーダベース３の下面の左右両部にはカッター取付部材５Ａ、５Ｂが固定され、これらのカッター取付部材５Ａ、５Ｂの下部にカッター取り付けベース（以下、カッターベースという。）６、６が固定されている。なお、カッター取付部材５Ａ、５Ｂとカッターベース６、６とを一体に形成してもよい。カッターベース６、６の前端は後述するカッターユニット１０より前方へ突出しており、各突出部７にはカッターユニット１０を着脱自在に取り付けるためのビス穴８が形成されている。また、カッターベース６、６の外側の側面には、上部がカッターベースの上面より上方に位置し、カッターユニット１０を案内するガイド板１１、１１が取り付けられている。
【００１５】
以下、カッターユニット１０について説明する。１２は側面を構成する側板であり、側板１２のうち前板１３は下部にて後側に折曲している。１４はカッターユニット１０の下面を構成する下板であり、この下板１４の前部には前板１３の下端より前方へ延びた延出部３１が形成されており、延出部３１の左右両部には、ビス穴８に対応してビス貫通穴（固定部）１５、１５が形成されている。そして、これらのビス貫通穴１５、１５を介してビス１６、１６がビス穴８、８に差し込まれ、カッターユニット１０がカッターベース６、６に固定されている。
【００１６】
また、カッターベース６、６の上面の左右には、上方へ突出したピン（突出部）１７、１７が固定され、下板１２の後部左右には、ピン１７、１７に対応して後縁から前方へ切り欠かれた位置決め部１８、１８が形成されている（図３参照）。なお、図３において、カッターベース６、６及びカッターユニット１０の構成が理解し易いように、フィーダベース３は2点鎖線にて示している。
【００１７】
２１、２１はカッターユニット１０のテープ切断空間に設けられ、空になった収納テープを切断する一対の円形の回転歯であり、これらの回転歯２１、２１は駆動源でありカッターユニット１０のテープ切断空間以外の部分に設けられたモータ２２によって図示しないプーリ及びベルトなどの駆動機構を介して回転しながら図３の左右方向へ往復移動する。また、モータ２２のドライバ２３もカッターユニット１０のテープ切断空間以外の部分に設けられ、モータ２２の電源及び信号のライン２４はコネクタ２５に接続され、コネクタ２５は電子部品供給装置本体側のコネクタ３１に接続されている。
【００１８】
２６は、カッターユニット１０の上部に取り付けられたテープガイドであり、部品供給ユニット２から出てきた空の収納テープはテープガイド２６によって回転歯２１、２１の上方へ案内される。また、２７、２７はそれぞれ左右の側板２８に取り付けられた取っ手であり、中央に開口３０が形成されている。
【００１９】
上述したように構成されたカッターユニット１０に故障が発生したとき、或いは例えば回転歯２１、２１の交換などのメンテナンスを行うとき、作業者は、先ず、工具を使用し、左右のビス１６、１６をカッターベース６、６及び下板外し、コネクタ２５をコネクタ３１から外す。その後、作業者は、左右の取っ手２７、２７を握り、前方（図２において、右方向）へ引き出すことによって、カッターユニット１０は電子部品供給装置１の本体から外れる（図４及び図４参照）。
【００２０】
このように、工具によってビス１６、１６を取り外した後は、工具を使用しないで、カッターユニット１０を電子部品供給装置１の本体から容易に外すことができ、さらに、前板１３の下端より前方へ延びた延出部３１にて作業を行うことができ、取り外し作業をより容易に行うことができる。また、取り外すためにカッターユニット１０を前方に引き出すときには、カッターユニット１０の一部、例えば後端をカッターベース６、６に支持させながら重いカッターユニット１０を前方へ引き出すことができ、取り外し作業を一層容易に行うことができる。
【００２１】
また、外したカッターユニット１０の故障の修理、或いはメンテナンス作業は、電子部品供給装置１の本体から離れた所で、容易に行うことが可能になる。
【００２２】
カッターユニット１０の故障の修理、或いはメンテナンス作業が終了し、カッターユニット１０を電子部品供給装置１の本体に取り付けるときには、作業者は、左右の取っ手２７、２７を握り、まず、カッターユニット１０の一部、例えば後端をカッターベース６、６に支持させながら重いカッターユニット１０を後方へスライドさせることができ、取り付け作業を容易に行うことができる。
【００２３】
また、カッターユニット１０を後方へスライドさせるとき、カッターユニット１０の左右側面はガイド板１１、１１によって案内されるので、ピン１７、１７に対する下板１２の位置決め部１８、１８の左右方向のズレを回避することができ、ピン１７、１７によって位置決め部１８、１８を確実に位置決めすることができる。また、ピン１７、１７によってカッターユニット１０の後部が位置決めされ、また、左右側面がガイド板１１、１１によって案内され、支持されているので、ビス穴８に対するビス貫通穴１５、１５の位置決めを容易に行うことができる。そして、ビス貫通穴１５、１５を介してビス１６、１６をビス穴８、８に差し込むことのよって、カッターユニット１０のカッターベース６、６、すなわち、電子部品供給装置本体への固定作業を容易に行うことができる。
【００２４】
また、カッターユニット１０の上部にテープガイド２６が取り付けられているので、テープガイド２６を電子部品供給装置本体に取り付けた場合に必要となるカッターユニット１０の着脱に伴うテープガイドの着脱作業を無くすことができ、また、部品供給ユニット２から出てきた空の収納テープをテープガイド２６によって回転歯２１、２１の上方へ確実に案内することができる。
【００２５】
なお、フレーム４の左右アーム上部には部品供給ユニット載置台４０、４０が設けられ、この載置台には、部品供給ユニット２が着脱自在に載置される。また、部品供給ユニット載置台４０、４０の後壁に取っ手４１が取り付けられている。
【００２６】
フレーム４には、カッターユニット１０にて切断されたテープを下方へ導く切断テープガイド４２が設けられ、切断テープガイド４２の下端の下方、電子部品供給装置本体の下部には、図２に破線にて示したようにテープ収納ボックス４３が載置される。また、フレーム４の下部の四隅には、キャスター４４が取り付けられている。
【００２７】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２８】
【図１】電子部品供給装置の正面図である。
【図２】電子部品供給装置の側面図である。
【図３】電子部品供給装置の概略平面図である。
【図４】部品供給ユニットを外した状態の電子部品供給装置の正面図である。
【図５】部品供給ユニットを外した状態の電子部品供給装置の側面図である。
【符号の説明】
【００２９】
１                電子部品供給装置
２                部品供給ユニット
４                フレーム
５                部品供給ユニット
６、６            カッターベース
７                突出部
８、８            ビス穴
１０、１０        カッターユニット
１５、１５        貫通穴（固定部）
１７、１７        ピン（突出部）
１８、１８        位置決め部
２７、２７        把手
３１              延出部
【図１】
0004995771.tif 000002
【図２】
0004995771.tif 000003
【図３】
0004995771.tif 000004
【図４】
0004995771.tif 000005
【図５】
0004995771.tif 000006